(57)【要約】【課題】  カメラを病棟間で移設しても、簡易な操作で移設先病棟のナースコール親機で撮像映像を確認できるナースコールシステムを提供する。【解決手段】  機器同士を接続しているＬＡＮは、病棟毎に仮想セグメントのグループに分割されて、分割されたグループである病棟内システムＡ毎に１台の制御機５と少なくとも１台のナースコール親機３とが設置され、カメラ４は設置されたグループ内の制御機５との通信のみ実施し、外部のグループの制御機５とは通信を行わないようネットワーク設定が成され、当該ネットワーク設定により異なるグループにカメラが移設された際には、移設した先のグループ内の制御機５とのみ通信が可能となり、当該制御機５と同一グループに属するナースコール親機３においてのみカメラ４の撮像映像の表示が可能となる。【選択図】  図１
2018082814.tif 000002
【特許請求の範囲】
【請求項１】
患者が看護師を呼び出すためのナースコール子機と、ナースコール子機による呼び出しに応答するためのナースコール親機と、患者を撮像するためのカメラと、これら機器間の通信を制御する制御機とを有し、機器間はＬＡＮを介して接続されて成るナースコールシステムであって、
前記ＬＡＮは、複数の仮想セグメントのグループに分割されて、分割されたグループ毎に１台の前記制御機と少なくとも１台の前記ナースコール親機とが設置され、
前記カメラは、自身の前記グループに属している前記制御機との通信のみ実施し、外部のグループの前記制御機とは通信を行わないようネットワーク設定が成され、
当該ネットワーク設定により、異なる前記グループに前記カメラが移設された際には、移設した先の前記グループに属する前記制御機とのみ通信が可能となり、前記ナースコール親機のうち移設した先の前記制御機と同一グループに属する前記ナースコール親機においてのみ前記カメラの撮像映像の表示が可能となることを特徴とするナースコールシステム。
【請求項２】
前記仮想セグメントの生成手段が、ＶＬＡＮ機能を具備したＬ２スイッチであることを特徴とする請求項１記載のナースコールシステム。
【請求項３】
前記仮想セグメントの生成手段が、Ｌ３スイッチであることを特徴とする請求項１記載のナースコールシステム。
【請求項４】
前記ナースコール子機による呼び出しに看護師が応答するための複数の携帯端末と、前記携帯端末と前記ナースコール子機との通信を管理する１台の構内交換機とを有し、
前記構内交換機は、前記仮想セグメントのグループを跨いで前記ＬＡＮを介して接続された全ての前記制御機と通信を実施することを特徴とする請求項１乃至３の何れかに記載のナースコールシステム。
【発明の詳細な説明】
【技術分野】
【０００１】
本発明は、ベッド上の患者の映像をナースコール親機に表示するためのカメラを備えて、ナースコール呼び出しを受けた際に患者を映像で確認できるナースコールシステムに関する。
【背景技術】
【０００２】
病室に設置したカメラによりベッド上の患者を撮像して、呼び出しが成されたら呼出信号と共にナースステーションに設置されたナースコール親機に送信し、応答する看護師が患者映像を見ながら通話できるナースコールシステムがある（例えば、特許文献１参照）。
一方で、建屋内に敷設ＬＡＮを物理的に分離させること無く、ＬＡＮ接続されている複数の機器を自由にグループ分けする技術としてＶＬＡＮ技術がある。これは、仮想セグメントによるグループ化する技術で、ブロードキャストドメインを自由に構成できるため、結果ＬＡＮ上のトラフィックを減らして接続されている機器への負荷を軽減できるし、セキュリティの向上の効果も奏するものである。
【先行技術文献】
【特許文献】
【０００３】
【特許文献１】特開２０１６−１６８２６４号公報
【発明の概要】
【発明が解決しようとする課題】
【０００４】
病院内に構築されているＬＡＮは、病院内で一体に構築（１つのブロードキャストドメインで構築）されており、病棟毎に分離されてはいない。そのため、病棟毎に通信を制御する制御機を設けて、互いにＬＡＮ接続されたナースコール親機を設置したとしても、病棟毎の制御機を例えばＩＰアドレスで区分けすることで、ナースコール子機の呼出信号が他の病棟のナースコール親機が認識して呼び出しを報音するようなことが無いよう構成されている。そのため、カメラを設置する場合でも、設置された病棟の制御機のみが認識するようにＩＰアドレス等で指定して接続設定を行う必要があった。
【０００５】
このように、カメラを別病棟に移設して使用する場合、移設先の病棟のナースコール親機で撮像映像が表示できるよう、即ち移設先の制御機が認識するよう再設定する必要があり、この作業はネットワーク技術に精通した作業者による作業となるため、例えば看護師等の現場担当者が病棟を跨いでカメラを移設させることは困難であった。
【０００６】
しかしながら、カメラの移設が発生しないようにカメラを全てのベッドに設置することはコスト高であるし、実際カメラによる見守りを必要とする患者は、入院患者の一部であるため、必要とするベッドに対してのみ設置して使用することが多い。
【０００７】
そこで、本発明はこのような問題点に鑑み、カメラを移設しても簡易な操作で移設先の病棟のナースコール親機において撮像映像を確認できるナースコールシステムを提供することを目的としている。
【課題を解決するための手段】
【０００８】
上記課題を解決する為に、請求項１の発明は、患者が看護師を呼び出すためのナースコール子機と、ナースコール子機による呼び出しに応答するためのナースコール親機と、患者を撮像するためのカメラと、これら機器間の通信を制御する制御機とを有し、機器間はＬＡＮを介して接続されて成るナースコールシステムであって、ＬＡＮは、複数の仮想セグメントのグループに分割されて、分割されたグループ毎に１台の制御機と少なくとも１台のナースコール親機とが設置され、カメラは、自身のグループに属している制御機との通信のみ実施し、外部のグループの制御機とは通信を行わないようネットワーク設定が成され、当該ネットワーク設定により、異なるグループにカメラが移設された際には、移設した先のグループに属する制御機とのみ通信が可能となり、ナースコール親機のうち移設した先の制御機と同一グループに属するナースコール親機においてのみカメラの撮像映像の表示が可能となることを特徴とする。
この構成によれば、カメラは仮想セグメントのグループを跨ぐ通信を実施しない所定のネットワーク設定が成されているため、ＬＡＮを分割した仮想セグメントのグループを跨いでカメラを移設しても、面倒な設定をすることなく移設先のナースコール親機で撮像映像を確認できる。
【０００９】
請求項２の発明は、請求項１に記載の構成において、仮想セグメントの生成手段が、ＶＬＡＮ機能を具備したＬ２スイッチであることを特徴とする。
この構成によれば、簡易な設定操作で仮想セグメントのグループ設定ができる。
【００１０】
請求項３の発明は、請求項１に記載の構成において、仮想セグメントの生成手段が、Ｌ３スイッチであることを特徴とする。
この構成によれば、簡易な設定操作で仮想セグメントのグループ設定ができる。
【００１１】
請求項４の発明は、請求項１乃至３の何れかに記載の構成において、ナースコール子機による呼び出しに看護師が応答するための複数の携帯端末と、携帯端末とナースコール子機との通信を管理する１台の構内交換機とを有し、構内交換機は、仮想セグメントのグループを跨いでＬＡＮを介して接続された全ての制御機と通信を実施することを特徴とする。
この構成によれば、病院内のＬＡＮが複数の仮想セグメントのグループに分割されても、構内交換機はそのグループを跨いで通信を行うため、ＬＡＮ全体に対して１台で済み、仮想セグメントのグループ毎に設置する必要が無い。
【発明の効果】
【００１２】
本発明によれば、カメラは仮想セグメントのグループを跨ぐ通信を実施しない所定のネットワーク設定が成されているため、仮想セグメントのグループを跨いで移設しても、面倒な設定変更をすることなく移設先のナースコール親機で撮像映像を確認できる。
【図面の簡単な説明】
【００１３】
【図１】本発明に係るナースコールシステムの一例を示す構成図である。
【図２】制御機の機能ブロック図である。
【発明を実施するための形態】
【００１４】
以下、本発明を具体化した実施の形態を、図面を参照して詳細に説明する。図１は本発明に係るナースコールシステムの一例を示す構成図であり、複数の病棟を跨いで構成されらシステムを示している。Ａは病棟毎に設置されたシステム（病棟内システム）を示し、この病棟内システムＡに対して、ＶＬＡＮスイッチ１０、サーバ２０、携帯端末システムＢが接続されている。
【００１５】
病棟内システムＡは、ベッド毎に設置されて患者が看護師を呼び出すためのナースコール子機１、病室前に設置されて病室内の患者氏名を表示し、病室内のナースコール子機１による呼び出しを報知する廊下灯２、ナースコール子機１による呼び出しに応答するためにナースステーションに設置されたナースコール親機３、患者の撮像映像をナースコール親機３において表示するためのカメラ４、機器間の通信を制御する制御機５等を備えている。
但し、カメラ接続部４ａはナースコール子機１毎（ベッド毎）に設けられているが、カメラ４は一部のベッドに対してのみ設置されている。
【００１６】
サーバ２０は、患者のカルテ情報を始とする病院内の患者情報が蓄積された図示しないオーダリングシステムに接続されており、必要な患者情報をオーダリングシステムから入手して要求先の病棟内システムＡに送信する。
またＶＬＡＮスイッチ１０は、後述する仮想セグメントを設定するＬ２スイッチ（レイヤ２スイッチ）であり、スイッチのポートを複数有している。Ｌ２スイッチとは、ＬＡＮを中継する機器の１つで、ＶＬＡＮ機能を有してパケットに宛先情報としてのＭＡＣアドレスで中継先を判断し、中継動作を行うスイッチである。
【００１７】
携帯端末システムＢは、患者からの呼び出しに応答するために看護師が携行する複数の携帯端末６と、携帯端末６と通信するために病院内において適宜間隔で設置された基地局７と、携帯端末６の通信を管理する構内交換機８とを備えている。ナースコール子機１が呼出操作されたら、呼出信号が呼出元のナースコール子機１に関連付けられている携帯端末６に送信され、呼び出し／通話が実施される。
【００１８】
ナースコール子機１は、呼出握りボタン１ａ、壁面に設置されて通話機能を備えたプレート子機１ｂを有し、病室毎に廊下灯２に伝送線Ｎ１を介して接続されている。また、廊下灯２は、ナースコール子機１による呼出発生を表示する表示灯２ａ、対応する病室の患者氏名等を表示する患者名表示部２ｂを有し、病院内に敷設されたＬＡＮ配線Ｎ２を介して制御機５にＬＡＮ接続されている。
【００１９】
ナースコール親機３は、患者からの呼び出しに応答するためのハンドセット３ａ、各種情報に加えてカメラ４の撮像映像を表示するディスプレイ３ｂ、患者情報表示部Ｍの一覧が表示されているボード部３ｃ等を備え、ＬＡＮ配線Ｎ２を介して制御機５にＬＡＮ接続されている。また、カメラ接続部４ａも制御機５にＬＡＮ接続され、各機器はＨＵＢ９を介してＬＡＮ配線Ｎ２に接続されている。
【００２０】
ＶＬＡＮスイッチ１０は、ＨＵＢ９を介して各病棟内システムＡとＬＡＮ接続され、サーバ２０及び構内交換機８は、ＶＬＡＮスイッチ１０を介して各病棟内システムＡにＬＡＮ接続されている。また、基地局７は伝送線Ｎ３を介して構内交換機８に接続されている。
【００２１】
図２は制御機５の機能ブロック図を示している。制御機５は病棟毎に１台設置され、図２に示すように病棟内の患者氏名と病室／ベッド番号を関連付けた患者の場所情報を記憶する患者ベッド情報記憶部５１、患者と看護師の関連付けを記憶する担当看護師情報記憶部５２、看護師と携帯端末６との関係を記憶する携帯端末情報記憶部５３、機器間の通信を制御すると共に制御機５全体を制御する制御機ＣＰＵ５４、ＬＡＮ接続するための制御機ＩＦ５５等を備えている。尚、患者氏名等の情報は定期的にサーバ２０から入手され、ベッド番号や担当看護師等の情報はナースコール親機３から入力される。
【００２２】
上記の如く構成されたナースコールシステムは以下の様に仮想セグメントのグループ分けが成される。即ち病院内のＬＡＮ（以下、単に「ネットワーク」と称する）がＶＬＡＮスイッチ１０により仮想的に分割される。ＶＬＡＮスイッチ１０の個々のスイッチを所定の設定操作することで仮想セグメントが設定され、ブローキャストドメインが分割されてネットワークが任意に分割される。
分割するグループは、ここでは１つの病棟を１セグメントとし、病棟毎に仮想セグメントが設定される。この結果、病棟内システムＡの単位が１セグメントとして設定される。この設定は、ナースコールシステムのＬＡＮ配線Ｎ２を病院内に敷設した最初の段階で設定される。
【００２３】
尚、ＶＬＡＮスイッチ１０は、上記Ｌ２スイッチの他、Ｌ３スイッチ（レイヤ３スイッチ）によっても構成できるが、Ｌ３スイッチはＩＰアドレスによるスイッチングにより、サブネットマスクを用いたルーティングが可能であることから、サブネットマスクがＶＬＡＮ機能の代替として仮想セグメントを構築する。但し、Ｌ２スイッチを用いる場合には、制御機５とサーバ２０、構内交換機８間の通信のためにルータ機能を内蔵したものが望ましい。
【００２４】
この結果、分割された各セグメントの内部には、１台の制御機５、複数（例えば４０台）のナースコール子機１、複数（例えば１０台）の廊下灯２、１台或いは複数（例えば３台）のナースコール親機３が存在する。
【００２５】
こうして設定された仮想セグメントを受けて、カメラ４の接続設定は以下の様に成される。新たな設置や移設等でカメラ接続部４ａに接続されたカメラ４に対して所定の初期登録操作が成されると、カメラ４からブロードキャストパケットが送信されて、接続すべき制御機５を探しに行く。このとき、ブロードキャストパケットが送信されるエリアは仮想セグメント内であり、このエリアには制御機５が１台しかないことから、ブロードキャストパケットを受信した制御機５は、自らに対して接続要求が発生していることを認識し、カメラ４との接続を確立する。
【００２６】
制御機５との接続が確立されたら、次にカメラ４と患者との関連付けを行えば、映像に合わせて患者情報の表示が可能となる。この操作は、看護師等の作業者により、例えばカメラ４の撮像映像をナースコール親機３に表示し、カメラ４が接続されたネットワークの物理ポートから対応するベッド番号を特定し、特定したベッド番号に関連付けられている患者氏名を制御機の記憶部等から読み取って表示映像に関連付けて登録すれば良く、カメラ４の映像表示に合わせて患者氏名等の患者情報も表示できる。
【００２７】
尚、制御機５が記憶している患者氏名等の患者情報は上述したように図示しないオーダリングシステムからサーバ２０を介して入手するが、サーバ２０は病院内に１台設置すれば良く、各々の制御機５が分割された仮想セグメントを越えて通信することで、患者情報も容易に入手することができる。
【００２８】
こうして接続設定が完了したカメラ４は、次のようにナースコール連動動作する。患者がナースコール子機１を呼出操作すると、この操作信号（呼出信号）は廊下灯２により病室番号及びベッド番号が添付されて制御機５に送信される。
呼出信号を受信した制御機５は、制御機ＣＰＵ５４が呼出信号からベッド番号を読み取り、関連付けられているカメラ４の有無を検索する。そして、関連付けられたカメラ４が存在する場合には、そのカメラ４に対して出画要求を行い、カメラ４から送信された映像信号とナースコール子機１からの呼出信号をナースコール親機３に送信する。
この信号を受けたナースコール親機３では、呼び出し発生を報音通知する共に、カメラ４の撮像映像がディスプレイ３ｂで表示される。
【００２９】
このように、カメラ４は仮想セグメントのグループを跨ぐ通信を実施しない所定のネットワーク設定が成されているため、仮想セグメントのグループを跨いでカメラ４を移設しても、カメラ４と患者を関連づける程度の簡易な作業だけでよく、従来のような面倒な設定変更をすることなく移設先のナースコール親機３で撮像映像を確認できる。
また、Ｌ２スイッチ或いはＬ３スイッチで仮想セグメントの設定ができ、ネットワークに精通した作業者であれば簡易な設定操作で仮想セグメントのグループ設定ができ、然も運用開始後の設定変更は不要である。
【００３０】
また制御機５は、呼出信号及びカメラ４の映像信号をナースコール親機３へ送信すると同時に携帯端末６に対しても送信する。制御機ＣＰＵ５４は、呼出元の患者を担当している看護師を担当看護師情報記憶部５２から読み取り、その看護師が携行している携帯端末６に呼出信号及び映像信号を送信する。
【００３１】
制御機５と携帯端末６との通信は、構内交換機８を介して実施されるが、この構内交換機８は各々の制御機５からは仮想セグメントにより設定されたグループの外に設置された機器であるため、制御機５がそのグループの外にある構内交換機８と通信を行なうことで、１台の構内交換機８のみで全ての制御機５との通信を実施でき、制御機５から選択された携帯端末６に呼出信号及び映像信号を送信し、応答した携帯端末６とナースコール子機１との間で通話を実施できる。
【００３２】
このように、病院内のＬＡＮが複数のグループに分割されても、構内交換機８は仮想セグメントのグループである病棟内システムＡの外に設置されて、個々のグループに属する制御機５と通信を行うため、グループ数に関わりなく１台のみで良く、仮想セグメントのグループ毎に構内交換機８を設置する必要が無い。
【００３３】
尚、上記実施形態では仮想セグメントの設定を、病棟毎のグループとしたが、仮想セグメントの設定は病棟の規模に応じて行えば良く、隣接する複数の病棟を１つのグループとしても良いし、病棟のフロア毎にグループ分けしても良い。
【符号の説明】
【００３４】
１・・ナースコール子機、２・・廊下灯、３・・ナースコール親機、４・・カメラ、５・・制御機、６・・携帯端末、７・・基地局、８・・構内交換機、９・・ＨＵＢ、１０・・ＶＬＡＮスイッチ、２０・・サーバ。
【図１】
2018082814.tif 000003
【図２】
2018082814.tif 000004